(57)【要約】【課題】清掃がし易くなり、製造の際における脱型時の不良を防止でき、排水トラップが小便器の外部と繋がるという不具合をなくすことができるうえ、型の精度の低下を抑えることができる。【解決手段】周壁部１２の底面部１２Ｅから上側に凹んだ底凹部１２Ｆと、排水筒３１の上端に接続されるとともに、便鉢１１と周壁部１２とに覆われて形成された便器空間部１４と、を有し、排水筒３１は、便器空間部１４との間で連通しないように遮断する遮断壁を構成し、便器空間部１４を構成する底凹部１２Ｆの周壁には、底面部１２Ｅから上方に向けて延びる立上り壁１４１と、立上り壁１４１の上端から排水筒３１の外周面３１ｂに接続される連結壁１４２と、が設けられ、連結壁１４２と、排水筒３１における連結壁１４２との接続部より上側の部分と、の間に排水側空間１４Ａが形成された構成の小便器を提供する。【選択図】図１１
2019178576.tif 000002
【特許請求の範囲】
【請求項１】
使用状態で対向する前面に位置する便鉢と、該便鉢から後方に向けて延びる周壁部と、前記便鉢の鉢底面に設けられる排水口に接続される排水筒を有する排水トラップと、を有する小便器であって、
前記周壁部の底面部から上側に凹んだ底凹部と、前記排水筒の上端に接続されるとともに、前記便鉢と前記周壁部とに覆われて形成された便器空間部と、を有し、
前記排水筒は、前記便器空間部との間で連通しないように遮断する遮断壁を構成し、
前記便器空間部を構成する前記底凹部の周壁には、前記底面部から上方に向けて延びる立上り壁と、該立上り壁の上端から前記排水筒の外周面に接続される連結壁と、が設けられ、
前記連結壁と、前記排水筒における前記連結壁との接続部より上側の部分と、の間に前記便器空間部の一部が形成されていることを特徴とする小便器。
【請求項２】
前記連結壁は、前記排水筒の下端の直上部分に接続されている請求項１に記載の小便器。
【発明の詳細な説明】
【技術分野】
【０００１】
本発明は、小便器に関する。
【背景技術】
【０００２】
従来、小便器として、使用状態で正面視したときの前面に位置する便鉢と、便鉢から後方に向けて延びる周壁部と、を備えたものが知られている。一般的に小便器は、周壁部は、側面部に連結され便鉢の下方前面に位置する前面部と、前面部及び一対の側面部に連設される底面部と、を有し、これら周壁部と便鉢との間に便器空間部が設けられたものがある。
【０００３】
このような便器空間部は、例えば特許文献１に示されるように、便鉢の排水口に接続された排水トラップが収納される後方空洞部と、後方空洞部の前方に位置する前方空洞部と、が設けられた構成がある。後方空洞部には排水トラップが配置され悪臭が生じ、その臭いが前方空洞部内に移らないように、特許文献１に示すように後方空洞部と前方空洞部とを遮断している。
【０００４】
図１５は、上述した特許文献１の小便器９を示している。小便器９は、排水トラップ９３の周囲に設けられる前方空洞部９２の縦壁９４の上端９４ａが便鉢９０の鉢底面９１まで達するように設けられ、前方空洞部９２を排水トラップ９３に対して離間させることで遮断する構成について記載されている。
【先行技術文献】
【特許文献】
【０００５】
【特許文献１】特開２０１７−４４０１０号公報
【発明の概要】
【発明が解決しようとする課題】
【０００６】
しかしながら、上述した特許文献１に示すような従来の小便器では、周壁部の底面部において、排水トラップが収納される後方空洞部と前方空洞部との間に、便鉢の鉢底面に達する深い凹み部分が形成されているため、この凹み部分における清掃がし難く、その点で改善の余地があった。
【０００７】
また、衛生陶器は石膏型で成形され、石膏型は水分を含むために磨耗しやすい特性を持っている。そのため、特許文献１に示すような小便器の製造時において、上述した底面部からの深さが大きな凹み部分に対応する石膏型はその突出長が大きくなる。この場合、成形の回数が増えた石膏型は磨耗してくるため、先端部分の型の精度が低下するという問題があった。
【０００８】
また、型に水分を含んでいるときに、湿った素地と型を脱型することになるが、このとき表面積が大きいと型と素地との間に空気が入り難く、素地と型とが離れ難くなる。このため、型を脱型すると素地まで引っ張ることになり、素地が変形するという不良が生じることになる。上述した底面部からの深さが大きな凹み部分に対応する型で成形する場合には、表面積が大きいので脱型し難い形であった。
さらに、後方空洞部と前方空洞部との間で繋がってしまうと、前方空洞部に排水トラップの臭いが移り、さらには小便器の外方に悪臭が漏れ出してしまうという問題があった。
【０００９】
本発明は、上述する問題点に鑑みてなされたもので、底凹部の凹み部分の深さを浅くすることができ、清掃がし易くなる小便器を提供することを目的とする。
また、本発明の他の目的は、製造の際における脱型時の不良を防止でき、排水トラップが小便器の外部と繋がるという不具合をなくすことができるうえ、型の精度の低下を抑えることができる小便器を提供することである。
【課題を解決するための手段】
【００１０】
上記目的を達成するため、本発明に係る小便器は、使用状態で対向する前面に位置する便鉢と、該便鉢から後方に向けて延びる周壁部と、前記便鉢の鉢底面に設けられる排水口に接続される排水筒を有する排水トラップと、を有する小便器であって、前記周壁部の底面部から上側に凹んだ底凹部と、前記排水筒の上端に接続されるとともに、前記便鉢と前記周壁部とに覆われて形成された便器空間部と、を有し、前記排水筒は、前記便器空間部との間で連通しないように遮断する遮断壁を構成し、前記便器空間部を構成する前記底凹部の周壁には、前記底面部から上方に向けて延びる立上り壁と、該立上り壁の上端から前記排水筒の外周面に接続される連結壁と、が設けられ、前記連結壁と、前記排水筒における前記連結壁との接続部より上側の部分と、の間に前記便器空間部の一部が形成されていることを特徴としている。
【００１１】
本発明に係る小便器によれば、遮断壁を構成する排水筒の内部と便器空間部とが遮断されているので、排水トラップから発生する臭いが便器空間部に流れ出すことがない。
この場合には、連結壁が排水筒との間に便器空間部の一部を形成した状態で排水トラップの排水筒の外周面に位置しているので、底凹部における立上り壁及び連結壁と排水トラップとの間に形成される凹み部分における底面部から凹んだ高さ方向の長さ寸法を小さくすることができる。そのため、底面部から便鉢の鉢底面に達する深い底凹部が設けられる従来の場合に比べて、前記凹み部分の清掃を容易に行うことができる。
【００１２】
また、本発明では、連結壁が排水トラップの排水筒の途中の高さの位置に接続されることから、高さ方向で排水筒の下端が連結壁よりも下方に位置することになる。すなわち、連結壁の下方に位置する凹み部分と排水筒の内側部分とが高さ方向にオーバーラップした状態となる。つまり、底凹部の凹み部分の深さが浅くなり、凹部側型の長さを短くすることができるので、脱型しやすくなる。そのため、製造の際における脱型時の不良を防止することができる。
しかも、前述したように底凹部の凹み部分の深さが浅くなり、凹部側型の長さを短くすることができるので、成形回数が増えて石膏型が磨耗した場合であっても、先端部分の型の精度を確保することができ、型の精度の低下を抑えることができる。
このように、本発明では、脱型時の不良を防止でき、排水トラップが小便器の外部と繋がるという不具合をなくすことができるため、小便器外部に悪臭が漏れ出すことを抑制することができる。
【００１３】
また、本発明に係る小便器は、前記連結壁は、前記排水筒の下端の直上部分に接続されていることが好ましい。
【００１４】
この場合には、底凹部の凹み部分の深さを最大限に浅くすることで、凹部側型の長さを短くすることができる。そのため、型磨耗時に型の先端部分の振れ幅は短くなるほど小さくなるので、型の精度の低下を抑えることができる。
【発明の効果】
【００１５】
本発明の小便器によれば、底凹部の凹み部分の深さを浅くすることができ、清掃がし易くなる効果を奏する。
また、本発明の小便器によれば、製造の際における脱型時の不良を防止でき、排水トラップが小便器の外部と繋がるという不具合をなくすことができるうえ、型の精度の低下を抑えることができる小便器を提供することである。
【図面の簡単な説明】
【００１６】
【図１】本発明の実施形態による小便器を示す斜視図である。
【図２】図１に示す小便器を前方から見た正面図である。
【図３】図２に示す小便器を右方向から見た側面図である。
【図４】図２に示すＩ−Ｉ線断面図である。
【図５】図２に示す小便器において便鉢の下方の一部を破断した正面図である。
【図６】小便器の水平断面図であって、（ａ）は図５に示すＩＩ−ＩＩ線断面図、（ｂ）は図５に示すＩＩＩ−ＩＩＩ線断面図、（ｃ）は図５に示すＩＶ−ＩＶ線断面図である。
【図７】図５に示すＶ−Ｖ線断面図である。
【図８】図２に示す小便器を上方から見た平面図である。
【図９】図２に示す小便器を下方から見た平面図であって前方を紙面左側にした図である。
【図１０】図３に示す小便器の下部の構成を示す要部拡大図である。
【図１１】図１０に示す小便器の縦断面図である。
【図１２】図４に示す小便器において、開口部の形状を示した図である。
【図１３】（ａ）は図９及び図１１に示すＶＩＩＩ−ＶＩＩＩ線断面図、（ｂ）は図９及び図１１に示すＩＸ−ＩＸ線断面図、（ｃ）は図９及び図１１に示すＸ−Ｘ線断面図である。
【図１４】（ａ）は図３に示すＶＩ−ＶＩ線断面図、（ｂ）はＶＩＩ−ＶＩＩ線断面図である。
【図１５】従来の小便器の下部の構成の要部拡大した縦断面図である。
【発明を実施するための形態】
【００１７】
以下、本発明の実施形態による小便器について、図面を参照しながら説明する。
【００１８】
図１〜図４に示すように、本実施形態による小便器１は、自身の最下部が床面から浮かされた状態となるように背後の壁面Ｋに沿って取り付けられる壁掛け式の小便器を対象としている。小便器１は、便鉢１１を有する陶器製の小便器本体１０と、便鉢１１を洗浄するためのスプレッダー２（図４参照）と、便鉢１１の鉢底面１１Ｃに設けられる排水口１１ｃに接続される排水トラップ３（図４参照）と、を備えている。
【００１９】
ここで、本実施形態においては、使用者が小便器１を正面視するように位置した際に使用者に近い側を前側とし、反対側の遠い側を後側とする。また、小便器１の前側と後側との間に連なる部分を側方とする。また、小便器１を前側から見たときの左右方向を左右方向Ｘ１といい、前側と後側の方向を前後方向Ｘ２という。
【００２０】
小便器本体１０は、前面に位置する便鉢１１と、便鉢１１の開口部１３から後方に向けて延びる周壁部１２と、を有している。小便器本体１０の後端縁１０ａは、側方から見て鉛直方向に延び、壁面Ｋに対して当接させた状態で設置される。
【００２１】
周壁部１２は、上面部１２Ａと、上面部１２Ａに連設される左右一対の側面部（左側面部１２Ｂ、右側面部１２Ｃ）と、左側面部１２Ｂ及び右側面部１２Ｃに連結され便鉢１１の下方前面に位置する前面部１２Ｄと、前面部１２Ｄ及び一対の側面部１２Ｂ、１２Ｃに連設される底面部１２Ｅと、を有している。周壁部１２の前端に形成される開口部１３は、便鉢１１の外周縁に対して連続的に接続されている。すなわち、便鉢１１と周壁部１２とは一体構造となっている。
【００２２】
上面部１２Ａは、前後方向Ｘ２に幅を有して左右方向Ｘ１に延在し、全体が左右方向Ｘ１の中央部から左右両側の側面部１２Ｂ、１２Ｃに向けて下向きに湾曲している。さらに、上面部１２Ａは、左右方向Ｘ１の全体にわたって前後方向Ｘ２で前側から後側へ向かうに従い漸次、下方になるように傾斜している。すなわち、少なくとも小便器本体１０の最上部（上面部１２Ａの頂部）において、手前側部分１２ａが奥側部分１２ｂよりも高い位置となっている。
【００２３】
左右に位置する左側面部１２Ｂ及び右側面部１２Ｃに前端は、上方から下方に向かうに従って漸次、前方となるように直線状に傾斜する前端傾斜部１２ｃが形成されている。さらに、左側面部１２Ｂ及び右側面部１２Ｃは、図５〜図８に示すように、上下方向Ｘ３の全体にわたって前後方向Ｘ２で前側から後側へ向かうに従い漸次、左右方向Ｘ１の内側から外側に向けて傾斜している。すなわち、左側面部１２Ｂ及び右側面部１２Ｃは、正面視で手前より奥側で左右方向Ｘ１の外側に張り出して見えるように形成されている。
【００２４】
また、左側面部１２Ｂ及び右側面部１２Ｃの下方領域は、図７に示すように、前方に向かって狭まるように湾曲しながら前面部１２Ｄにかけて傾斜している。このときの湾曲部の曲率半径Ｒは、例えばＲ１１０ｍｍと比較的で大きな曲率に設定されている。そのため、側面部１２Ｂ、１２Ｃに付着した小便は、前面部１２Ｄの凸頂部に集まる。
【００２５】
前面部１２Ｄは、図３及び図４に示すように、底面部１２Ｅから上方に向けて前方に傾く前傾斜に形成されている。
【００２６】
底面部１２Ｅは、前面部１２Ｄ及び両側面部１２Ｂ、１２Ｃのそれぞれの下端縁に連続的に接続されている。底面部１２Ｅには、図５、図９〜図１３に示すように、下方から見た平面視で中央部において上方に向けて窪んだ底凹部１２Ｆが形成されている。
【００２７】
排水トラップ３は、図４及び図５に示すように、管状の流路を形成し、一端の流入口３ａが便鉢１１の鉢底面１１Ｃの排水口１１ｃに接続され、他端の流出口３ｂが小便器本体１０の後面側に設けられている。図１１に示すように、排水トラップ３は、略下半部分が凹底部１２Ｆの凹部に配置されている。
【００２８】
具体的に排水トラップ３は、排水口１１ｃから下方に延びる排水筒３１と、排水筒３１の下端開口から排水筒３１の後方に向けて略１８０度折り返す湾曲壁３２と、湾曲壁３２から上方に向けて延びる上向き壁３３と、を有している。
排水筒３１は、排水筒３１内と外周側の後述する便器空間部１４とが連通しないように遮断する遮断壁を構成している。上向き壁３３の上部後面側には、上述した流出口３ｂが設けられている。この流出口３ｂには、壁面Ｋの内側に設けられる図示しない排水管の端部が接続される。排水トラップ３の湾曲壁３２の下端３２ａは、排水トラップ３全体の最も下端３ｃに位置し、底面部１２Ｅよりも上方に位置している。
【００２９】
図１０及び図１１に示すように、底凹部１２Ｆの下端縁に位置する底面部１２Ｅは、便鉢１１の排水口１１ｃに接続される排水トラップ３の下端３ｃよりも下方に位置している。
また、図１１に示すように、底凹部１２Ｆの後壁は、鉛直方向に延びる垂直壁１４３を形成している。この垂直壁１４３の上端から前方に向けて排水トラップ３の外周壁が接続されている。排水トラップ３における垂直壁１４３の前側に対向する部分（上向き壁３３）は、前方に向かうに従って漸次、水平面に対する傾斜角度が小さくなるように下向きに傾斜している。
【００３０】
なお、底凹部１２Ｆの陶器製の内面は、釉薬で被覆されている。このように底凹部１２Ｆの内面に被覆された釉薬によって滑らかに仕上げられているので、この内面に汚れが付着しにくくなる。そのうえ、釉薬が被覆された内面の清掃性が高まり、付着した汚れを簡単に落とすことが可能となるので、汚れが目立ちにくくなる。
【００３１】
小便器本体１０には、便鉢１１と周壁部１２との間で囲まれた中空状に形成され、排水トラップ３の周囲を囲む便器空間部１４が形成されている。
【００３２】
底面部１２Ｅに形成される底凹部１２Ｆは、部分的に排水トラップ３に沿った形状に形成されている。
底凹部１２Ｆの前方下端は、図２に示すように、左右方向Ｘ１の中央部で下側に凸となる左右凸曲面１２ｅが形成されている。
【００３３】
図１１及び図１３（ａ）〜（ｃ）に示すように、便器空間部１４を構成する底凹部１２Ｆの周壁には、底面部１２Ｅから上方に向けて延びる立上り壁１４１と、立上り壁１４１の上端から排水筒３１の外周面に向けて延びて、排水筒３１の上下方向の途中の位置で接続される連結壁１４２と、が設けられている。
【００３４】
連結壁１４２は、底凹部１２Ｆの天面に相当し、排水筒３１における後端寄りの位置から前方の範囲に配置されている。すなわち、連結壁１４２と、排水筒３１における連結壁１４２との接続部より上側の部分と、の間に便器空間部１４の一部（排水側空間１４Ａ）が形成されている。
【００３５】
連結壁１４２は、図１１及び図１４（ｂ）に示す前方連結壁１４２Ａと、図１３（ａ）、（ｂ）及び図１４（ａ）に示す後方連結壁１４２Ｂとからなり、前方連結壁１４２Ａが後方連結壁１４２Ｂよりも下方となる高さに位置し、それぞれの前後方向Ｘ２の境界部分に上下の段差が形成されている。双方の連結壁１４２Ａ、１４２Ｂ同士の前後方向Ｘ２の境界部分は、図９に示すように、排水トラップ３の排水筒３１（後述する）の前後方向Ｘ２の略中央部分に位置している。
【００３６】
底面部１２Ｅの前部には、図１０及び図１１に示すように、底凹部１２Ｆよりも前方の位置において、側面視で下に凸となる前後凸曲面１２ｄが形成されている。前後凸曲面１２ｄは、前面部１２Ｄから底面部１２Ｅに向けて連続する曲面で湾曲し、その湾曲部の後方側で上向きに延びて底凹部１２Ｆに接続するように形成されている。前後凸曲面１２ｄは、図９に示すように、下方から見た平面視で左右方向Ｘ１の全体にわたって前側に凸となるように湾曲している。このような湾曲部を設けることで、清掃性が良好となる。なお、前後凸曲面１２ｄにおける前側に凸となる湾曲部の曲面範囲は、左右方向Ｘ１の全体であることに限定されず、左右両側の角部のみに曲面を形成させた形状であってもよいが、清掃性を高めるためにはこの角部の曲面の曲率半径は大きい方が好ましい。
【００３７】
便鉢１１は、図１２に示すように、上部から下部まで使用者に対向するように開いた開口部１３を有している。開口部１３は、左側面部１２Ｂ及び右側面部１２Ｃのそれぞれの前端傾斜部１３ａ、１３ａと、一対の前端傾斜部１３ａ、１３ａの上端に連設する上面部１２Ａの上前端円弧部１３ｂと、一対の前端傾斜部１３ａ、１３ａの下端に連設する前面部１２Ｄの下前端円弧部１３ｃと、が形成されている。
一対の前端傾斜部１３ａ、１３ａ、上前端円弧部１３ｂ、及び下前端円弧部１３ｃは、それぞれ同一平面上に位置している。一対の前端傾斜部１３ａ、１３ａは、互いに平行となっている。上前端円弧部１３ｂ、及び下前端円弧部１３ｃは、それぞれ略同一の曲率半径からなる単一の円弧を形成している。開口部１３は、この開口部１３を含む平面に直交する方向から見て上下対称の形状をなしている。
【００３８】
便鉢１１は、図１３（ａ）、（ｂ）に示すように、上下方向Ｘ３の全領域において、正面部１１Ａと、正面部１１Ａの左右両側から前方に向けて突出するように延びる側面部１１Ｂと、鉢底面１１Ｃと、を有し、それぞれが滑らかに湾曲し、かつ連続的に接続している（図４参照）。
【００３９】
正面部１１Ａは、上方から鉢底面１１Ｃまで略鉛直方向に沿って延びている。正面部１１Ａにおける上端寄りの上部領域１１ａで左右方向Ｘ１の中央部には、前後方向Ｘ２に貫通する貫通穴１１ｂが形成されている。この貫通穴１１ｂには、スプレッダー２が嵌合されている。
【００４０】
正面部１１Ａと側面部１１Ｂ、１１Ｂとは、スプレッダー２から吐出される洗浄水Ｗを鉢底面１１Ｃまで導くことができるように、水平断面視で全体にわたって連続する凹曲面が形成されている。側面部１１Ｂは、図６（ａ）〜（ｃ）、及び図７に示すように、上方から下方に向かうに従い漸次、正面部１１Ａからの前方に向けて延びる突出量が増大している。つまり水平断面視において便鉢１１の凹部の深さは、下方に向かうほど上部よりも深くなっている。
【００４１】
また、正面部１１Ａの左右方向Ｘ１の幅寸法は、水平断面視において上下方向Ｘ３の全体にわたって開口部１３の開口幅よりも小さくなっている。
さらに、図７に示すように、便鉢１１と周壁部１２との接続部をなすリム１１Ｄは縁無し形状をなし、便鉢１１内の下方領域には、水平断面視でリム１１Ｄの開口幅Ｄ１よりも大きい幅Ｄ２を有する部分が形成されている。このような形状にすることにより、便鉢１１の外方に小便が跳ね返ることを抑制することができる。
【００４２】
左右一対の側面部１１Ｂ、１１Ｂの下側領域Ｐ１は、図１３（ａ）、（ｂ）に示すように、上方から鉢底面１１Ｃに向かうに従い漸次、左右方向Ｘ１の幅寸法が小さくなるとともに、手前から正面部１１Ａ側（後方側）に向かうに従い左右方向Ｘ１の幅が狭くなっている。
ここで、図３に示す側面視で、前後凸曲面１２ｄから上方に伸ばした延長線Ｐ０と前端傾斜部１２ｃ（開口部１３）との交点を通る水平方向の線を境界線Ｐとし、開口部１３において、境界線Ｐより下側を下側領域Ｐ１とし、上側を上側領域Ｐ２とする。
【００４３】
そして、本実施形態では、高さが低い小便器１であるので、下側領域Ｐ１の第１開口面積Ｓ１が一般の小便器よりも大きくなっている。ここで、下側領域Ｐ１の第１開口面積Ｓ１と上側領域Ｐ２の第２開口面積Ｓ２との比率は、例えば、Ｓ１：Ｓ２＝１：２に設定され、好ましくは１：１である。
このように構成することで、延長線Ｐ０より手前が曲面になることから、小便が前面部１２Ｄを介して前後凸曲面１２ｄに集まりやすい形状となり、図１及び図３の矢印Ｓで示すように、前後凸曲面１２ｄに小便が伝わり易くなる利点がある。
【００４４】
左右一対の側面部１１Ｂ、１１Ｂには、図４に示すように、便鉢１１の高さ方向でそれぞれ左右対称となるそれぞれの位置に洗浄棚１５が後方から前方に向けて下方向に延びて設けられている。この場合、小便器１は、スプレッダー２から吐水され左右一対の洗浄棚１５に乗った洗浄水Ｗが便鉢１１の下部前方の鉢底面１１Ｃに案内されるため、便鉢１１の下部前方を洗浄することができる。
また、洗浄棚１５は、前面１２Ｄの先端よりも下の位置にあるので、意匠性がよい。
【００４５】
鉢底面１１Ｃの後方側には、図４及び図１１に示すように、上方に広がる椀形状をなす排水口１１ｃが設けられている。排水口１１ｃには、目皿４（図４参照）が配置されている。また、排水口１１ｃには、鉢底面１１Ｃの下方の底収納部１４（後述する）に配置される排水トラップ３の上端が接続されている。
【００４６】
鉢底面１１Ｃは、排水口１１ｃに排水が集まるように、排水口１１ｃに向かって緩やかに傾斜している。さらに、鉢底面１１Ｃは、上面視で前後方向Ｘ２に延びる一対の略直線部とそれら直線部の前端同士、後端同士をそれぞれ曲線で繋いだトラック形状をなしている。なお、鉢底面１１Ｃは、手前側が広がっていない形状であればよいので、上述した直線部は前後方向Ｘ２に延びる直線でなくてもよい。
このように鉢底面１１Ｃに傾斜面が形成され、中心周辺（小便が良くあたる位置）における平面の断面積が小さくなっているので、この傾斜面に当たった小便が外方に跳ねにくくなっている。
一方で、例えば鉢底面の形状を手前側で広くすると、手前側の平面部分が広くなり、側面部と前面部を繋ぐ曲面が小さくなり、曲面部で先浄水の流速が低下して先に鉢底面に落ちやすくなるため、前面部１２Ｄ側まで洗浄し難くなる。本実施形態では、上述したように鉢底面１１Ｃが手前側に広がらない形状としたことで、洗浄水の流速の低下を抑制することができる。
【００４７】
排水トラップ３は、図４及び図５に示すように、管状の流路を形成し、一端の流入口３ａが便鉢１１の鉢底面１１Ｃの排水口１１ｃに接続され、他端の流出口３ｂが小便器本体１０の後面側に設けられている。図１１に示すように、具体的に排水トラップ３は、排水口１１ｃから下方に延びる排水筒３１と、排水筒３１の下端開口から排水筒３１の後方に向けて略１８０度折り返す湾曲壁３２と、湾曲壁３２から上方に延びる立上壁３３と、を有している。立上壁３３の上部後面側には、上述した流出口３ｂが設けられている。この流出口３ｂには、壁面Ｋの内側に設けられる図示しない排水管の端部が接続される。
【００４８】
小便器本体１０には、便鉢１１の鉢底面１１Ｃと周壁部１２との間に囲まれた空胴部を形成し、排水トラップ３の上方部分が配置する底収納部１４が設けられている。
排水トラップ３の湾曲壁３２の下端３２ａは、排水トラップ３全体の最も下端３ｃに位置し、底面部１２Ｅよりも上方に位置している。
【００４９】
目皿４は、図４に示すように、円盤状をなし、円盤状の中心軸を上下方向Ｘ３に向けた状態で配置され、外径が排水口１１ｃの内径より僅かに小さく形成されている。目皿４は、円盤状の外周面が排水口１１ｃの内周面に当接することがなく、円盤状の外周面と排水口１１ｃの内周面との間に所定の間隔を設けた状態で配置されている。
【００５０】
図１３（ａ）、（ｂ）に示すように、スプレッダー２は、便鉢１１における正面部１１Ａの上部領域１１ａのほぼ左右中央に設けられ、洗浄水Ｗを便鉢１１の中央領域Ｕ１から左右端側まで広がるように吐水する。スプレッダー２は、洗浄水Ｗを噴出すると共に、小便器１の前に使用者が立ったことと遠ざかることを検出する超音波センサ２１が内蔵されている。超音波センサ２１は、送波器により超音波を対象物である使用者に向けて発信し、その反射波を受波器で受信することにより使用者を検出する機器である。本実施形態では、超音波センサ２１のセンサヘッド内に送波器と受波器が一体に設置されているものとする。
【００５１】
このように構成されるスプレッダー２では、図１３（ａ）、（ｂ）に示すように、小便器１の前に使用者が立つと、超音波センサ２１で人体を検出してその検出信号により吐水部２６から小便器１の便鉢１１に洗浄水Ｗが噴出される。そして、使用者が小便を終了して小便器１から遠ざかると、超音波センサ２１でこれを検出した検出信号が出力され、吐水部２６から便鉢１１に洗浄水Ｗが噴出されて便鉢１１を洗浄する。ここで、図１３（ａ）、（ｂ）において、吐水部２６から吐水され、左右側端部近傍まで広がった洗浄水Ｗ１、Ｗの流れを示している。
また、超音波センサ２１を有するスプレッダー２は便鉢１１の正面部１１Ａに設置しているため、超音波センサ２１の超音波が物理的に干渉することがなく、相互干渉による誤検知を生じない。
そして、スプレッダー２では、左右両端近傍まで広がる水幕を形成することができる。
【００５２】
スプレッダー２から下方に噴出される内側洗浄水Ｗ１は、便鉢１１の中央領域Ｕ１に向けて吐水される。また、スプレッダー２から左右方向に噴出される外側洗浄水Ｗ２は、中央領域Ｕ１よりも広範囲に広がるように左右領域Ｕ２に拡散されて吐水され、その一部が洗浄棚１５（図４参照）に乗って下部前方に案内されて鉢底面１１Ｃへ流下する。
そして、噴出された洗浄水Ｗ１、Ｗ２は、便鉢１１の鉢底面１１Ｃに向かって流れ、便鉢１１の中央領域Ｕ１及び左右領域Ｕ２にわたって広範囲にわたって洗浄することができる。
【００５３】
このように、スプレッダー２の吐水部２６から吐水される洗浄水Ｗは、スプレッダー２から放射状方向に、便鉢１１の面上を洗浄できない部分を生じさせないように広く広がるように流れ、便鉢１１を流下しながら便鉢１１全体を良好に洗浄することができる。
鉢底面１１Ｃまで流れた洗浄水Ｗは、排水口１１ｃから排水トラップ３を通過して排水される。
【００５４】
次に、本実施形態による小便器１の作用について説明する。
本実施形態の小便器１では、図１１、図１３（ａ）〜（ｃ）、及び図１４（ａ）、（ｂ）に示すように、遮断壁を構成する排水筒３１の内部と便器空間部１４とが遮断されているので、排水トラップ３から発生する臭いが便器空間部１４に流れ出すことがない。
この場合には、連結壁１４２が排水筒３１との間に便器空間部１４の一部（排水側空間１４Ａ）を形成した状態で排水トラップ３の排水筒３１の外周面３１ｂに位置しているので、底凹部１２Ｆにおける立上り壁１４１及び連結壁１４２と排水トラップ３との間に形成される凹み部分（図１１に示す符号１４Ｂ）における底面部１２Ｅから凹んだ高さ方向の長さ寸法を小さくすることができる。そのため、底面部１２Ｅから便鉢１１の鉢底面１１Ｃに達する深い底凹部１２Ｆが設けられる従来の場合に比べて、前記凹み部分１４Ｂの清掃を容易に行うことができる。
【００５５】
また、本実施形態では、連結壁１４２が排水トラップ３の排水筒３１の途中の高さの位置に接続されることから、高さ方向で排水筒３１の下端３１ａが連結壁１４２よりも下方に位置することになる。すなわち、連結壁１４２の下方に位置する凹み部分１４Ｂと排水筒３１の内側部分３１Ａとが高さ方向にオーバーラップした状態となる。つまり、底凹部１２Ｆの凹み部分の深さが浅くなり、凹部側型の長さを短くすることができるので、脱型しやすくなる。そのため、製造の際における脱型時の不良を防止することができる。
【００５６】
しかも、前述したように底凹部１２Ｆの凹み部分１４Ｂの深さが浅くなり、凹部側型の長さを短くすることができるので、成形回数が増えて石膏型が磨耗した場合であっても、先端部分の型の精度を確保することができ、型の精度の低下を抑えることができる。
このように、本実施形態では、脱型時の不良を防止でき、排水トラップ３が小便器１の外部と繋がるという不具合をなくすことができるため、小便器１の外部に悪臭が漏れ出すことを抑制することができる。
【００５７】
しかも、本実施形態では、連結壁１４２を排水筒３１の下端の直上部分に接続することで、底凹部１２Ｆ側の凹み部分１４Ｂの深さが浅くなり、凹部側型の長さを短くすることができる。そのため、型磨耗時に型の先端部分の触れ幅は短くなるほど小さくなるので、型の精度が低下することを抑えることができる。
【００５８】
このように本実施形態の小便器１によれば、底凹部１２Ｆの凹み部分１４Ｂの深さを浅くすることができ、清掃がし易くなる効果を奏する。
また、本実施形態によれば、製造の際における脱型時の不良を防止でき、排水トラップ３が小便器１の外部と繋がるという不具合をなくすことができるうえ、型の精度の低下を抑えることができる。
【００５９】
以上、本発明による小便器１の実施形態について説明したが、本発明は上記の実施形態に限定されるものではなく、その趣旨を逸脱しない範囲で適宜変更可能である。
【００６０】
例えば、本実施形態では、壁掛け式の小便器を対象としているが、床置き式の小便器に適用することも可能である。そして、小便器１の便鉢１１や周壁部１２における各部位の形状、大きさ、寸法、排水トラップ３の形状等の構成は、上述した実施形態に限定されることはなく、適宜、設定することが可能である。
【００６１】
また、本実施形態では、前方連結壁１４２Ａが排水トラップ３における排水筒３１の下端３１ａの直上部分に接続されているが、この高さ方向の位置に限定されることはなく、排水筒３１の下端３１ａよりも上方の位置に前方連結壁１４２Ａが接続されていればよいのである。
【００６２】
さらに、本実施形態では、便鉢１１の側面部１１Ｂ、１１Ｂに洗浄棚１５を設けた構成としているが、洗浄棚１５が設けられていない小便器であってもよい。
【００６３】
その他、本発明の趣旨を逸脱しない範囲で、上記した実施形態における構成要素を周知の構成要素に置き換えることは適宜可能である。
【符号の説明】
【００６４】
１  小便器
２  スプレッダー
３  排水トラップ
４  目皿
１１  便鉢
１１ｃ  排水口
１１Ａ  正面部
１１Ｂ  側面部
１１Ｃ  鉢底面
１２  周壁部
１２Ａ  上面部
１２Ｂ、１２Ｃ  側面部
１２Ｄ  前面部
１２Ｅ  底面部
１２Ｆ  底凹部
１３  開口部
１４  便器空間部
１４Ａ  排水側空間
１４Ｂ  凹み部分
２６  吐水部
３１  排水筒
３１Ａ  内側部分
３１ａ  下端
３１ｂ  外周面
１４１  立上り壁
１４２  連結壁
１４２Ａ  前方連結壁
１４２Ｂ  後方連結壁
Ｋ  壁面
Ｗ、Ｗ１、Ｗ２  洗浄水
Ｘ１  左右方向
Ｘ２  前後方向
Ｘ３  上下方向
【図１】
2019178576.tif 000003
【図２】
2019178576.tif 000004
【図３】
2019178576.tif 000005
【図４】
2019178576.tif 000006
【図５】
2019178576.tif 000007
【図６】
2019178576.tif 000008
【図７】
2019178576.tif 000009
【図８】
2019178576.tif 000010
【図９】
2019178576.tif 000011
【図１０】
2019178576.tif 000012
【図１１】
2019178576.tif 000013
【図１２】
2019178576.tif 000014
【図１３】
2019178576.tif 000015
【図１４】
2019178576.tif 000016
【図１５】
2019178576.tif 000017